(57)【要約】【課題】手摺用ブラケット本体に壁面に取り付けるためのボルト等の頭部を隠すためのカバー部材を取り外しも可能ながら強固に取り付けることができる意匠的にも優れる手摺用ブラケットを提供すること。【解決手段】ブラケット本体及び取付片に被せられる上方及び背面が開放するカバー部材とから構成される手摺用ブラケットにおいて、カバー部材の両側板の上端に凹部を形成し、この凹部に嵌合する突起を下面の左右に形成し、且つ、同下面にはブラケット本体の連結片上面に貼着できるように両面テープの片面を貼着した板状の抜け止めキャップを設けると共に、ブラケット本体の取付片の正面にはカバー部材の内部に形成された嵌合片を嵌合するための横溝を形成したことを特徴とする。【選択図】        図５
2004169531.tif 000002
【特許請求の範囲】
【請求項１】
壁面に取り付けるための取付片、同取付片に一体の連結片を介して上方に延びる笠木支持片とから成るブラケット本体及び前記取付片に被せられる上方及び背面が開放するカバー部材とから構成される手摺用ブラケットにおいて、前記カバー部材の両側板の上端に凹部を形成し、この凹部に嵌合する突起を下面の左右に形成し、且つ、同下面には前記ブラケット本体の連結片上面に貼着できるように両面テープの片面を貼着した板状の抜け止めキャップを設けると共に、前記ブラケット本体の取付片の正面にはカバー部材の内部に形成された嵌合片を嵌合するための横溝を形成したことを特徴とする手摺用ブラケット。
【発明の詳細な説明】
【０００１】
【発明の属する技術分野】
本発明は、手摺用ブラケット本体に壁面に取り付けるためのボルト等の頭部を隠すためのカバー部材を強固に取り付けることができる手摺用ブラケットに関するものである。
【０００２】
【従来の技術】
従来から、手摺用ブラケット本体に壁面に取り付けるためのボルト等の頭部を隠すためのカバー部材を強固に取り付けることができる手摺用ブラケットとして、特許第３０５９３１５号公報に記載されるようなものがある。
【０００３】
【発明が解決しようとする課題】
然しながら、この公報に記載されるような構造の手摺用ブラケットにあっては、連結片の下面に形成された係止部にカバー部材のフック部を弾発係止させるものであったため、係止状態が極めて強固であり、一旦カバー部材をブラケット本体に装着すると、取り外すことは困難であって、無理に取り外そうとするとフック部が損傷するという問題点があるだけでなく、連結片の上面を隠すものがなかったため、上方から金属製の連結片の地肌が見えて意匠的には見栄えが悪いという問題点があった。
【０００４】
【発明の目的】
本発明は、手摺用ブラケット本体に壁面に取り付けるためのボルト等の頭部を隠すためのカバー部材を取り外しも可能ながら強固に取り付けることができる意匠的にも優れる手摺用ブラケットを提供するものである。
【０００５】
【課題を解決するための手段】
本発明に係る手摺用ブラケットは、壁面に取り付けるための取付片、同取付片に一体の連結片を介して上方に延びる笠木支持片とから成るブラケット本体及び前記取付片に被せられる上方及び背面が開放するカバー部材とから構成される手摺用ブラケットにおいて、前記カバー部材の両側板の上端に凹部を形成し、この凹部に嵌合する突起を下面の左右に形成し、且つ、同下面には前記ブラケット本体の連結片上面に貼着できるように両面テープの片面を貼着した板状の抜け止めキャップを設けると共に、前記ブラケット本体の取付片の正面にはカバー部材の内部に形成された嵌合片を嵌合するための横溝を形成したことを特徴とするものである。
【０００６】
【発明の作用】
取付片の横溝にカバー部材の嵌合片を嵌合した後、連結片の上部から抜け止めキャップの両面テープの粘着力を利用して連結片の上面に抜け止めキャップを貼着すると同時にカバー部材の両側板の上端に形成された凹部に抜け止めキャップの突起を嵌合させることによってカバー部材のブラケット本体への装着が完了する。
【０００７】
【発明の実施の形態】
本発明手摺用ブラケットの実施の形態を実施例について具体的に説明する。
【０００８】
【実施例】
図１は、本発明を構成するブラケット本体の斜視図、図２は、本発明を構成するカバー部材と抜け止めキャップの斜視図、図３は、カバー部材の平面図、図４は、カバー部材及び抜け止めキャップのブラケット本体への装着状態を表わす斜視図、図５は、カバー部材及び抜け止めキャップをブラケット本体へ装着した状態の縦断側面図である。
【０００９】
１は、本発明手摺用ブラケットを構成するブラケット本体であって、取付孔１ａに挿通されるアンカーボルトＢによって壁面Ｗに取り付けられる取付片１１、及び同取付片に一体の連結片１２を介して上方に延びる笠木支持片１３とから構成されている。
【００１０】
尚、上記ブラケット本体１の正面下方には後述するカバー部材の嵌合片が嵌合できる横溝１１ａが形成されている。
【００１１】
２は、同じく本発明手摺用ブラケットを構成する上面及び背面が開放するカバー部材であって、前記取付片１１の正面を隠す正面板２１、取付片１１の下方部分を隠す底板２２及び取付片１１の両側面を挟み付ける側板２３、２３とから構成されている。
【００１２】
前記カバー部材２の両側板２３、２３の上端には後述するキャップの突片が嵌合する凹部２３ａ、２３ａが形成され、カバー部材２の内部で正面板２１と両側板２２、２２で囲まれる部分には装着時に前記取付片１１の正面下方に形成された横溝１１ａに嵌合する嵌合片２４及び取付片１１の正面に当接してカバー部材２の装着位置を決めるための当接片２５が形成されている。
【００１３】
３は、前記ブラケット本体１の連結片１２の上面を隠すための板状の抜け止めキャップであって、連結片１２が湾曲している場合にはその湾曲面に面接触するように湾曲させてあり、且つ、前記カバー部材２の両側板２３、２３の上端に形成された凹部２３ａ、２３ａに嵌合する突起３１、３１が下面の左右に形成され、更に、同下面には前記ブラケット本体１の連結片１２の上面に貼着できるように両面テープ３２の片面が貼着されている。
【００１４】
次に、本発明ブラケットの具体的用法を図示する実施例に基づいて詳細に説明する。
【００１５】
先ず、ブラケット本体１の取付片１１を取付孔１ａに挿通されるアンカーボルトＢによって壁面Ｗに取り付ける。
【００１６】
ブラケット本体１を壁面Ｗに上述のように取り付けた後、カバー部材２を握ってブラケット本体１の横溝１１ａに嵌合片２４を壁面Ｗ方向に押し込むようにして嵌合させると、嵌合片２４が横溝１１ａに拘束されてカバー部材２は下方への脱落が防止される。
【００１７】
ブラケット本体１の横溝１１ａに嵌合片２４を嵌合させた後、抜け止めキャップ３の下面に片面が貼着してある両面テープ３２の他面の離型紙を剥がして連結片１２の上面に貼着可能な状態とし、抜け止めキャップ３の左右の突起３１、３１を前記カバー部材２の両側板２３、２３の上端に形成してある凹部２３ａ、２３ａに嵌合するようにして抜け止めキャップ３を連結片１２の上面に貼着する。
【００１８】
この作業によってカバー部材２は、連結片１２の上面に固定された抜け止めキャップ３の突起３１、３１によって水平方向の移動が阻止され、上述の嵌合片２４と横溝１１ａによる下方への脱落防止作用と相まってブラケット本体１に一体的に固定され、抜け止めキャップ３を外さない限りカバー部材２はブラケット本体１から取り外せなくなってカバー部材２のブラケット本体１への装着が完了し、本発明ブラケットの取り付けが完了する。
【００１９】
ブラケットの取り付けが完了した後は笠木支持片１３に芯金を介して笠木Ｋを装着して手摺の取り付けが完了する。
【００２０】
アンカーボルトＢの緩みを点検したい場合には、抜け止めキャップ３と連結片１２との間の隙間に先端が尖った工具を差し入れて両面テープ３２による貼着状態を解除し、突起３１、３１をカバー部材２の凹部２３ａ、２３ａから外せば、カバー部材２を手前に引けば簡単にブラケット本体１から分離することができ、点検終了後は前述の作業によってカバー部材をブラケット本体に装着できるものである。
【００２１】
尚、抜け止めキャップ３の少なくとも突起３１、３１の周辺部分を軟質または半硬質の塩化ビニル等の合成樹脂で成形し、抜け止めキャップ３と連結片１２との間の隙間に先端が尖った工具を差し入れてこじ上げるだけで突起３１、３１をカバー部材２の凹部２３ａ、２３ａから外せるようにしておけば、両面テープ３２による貼着状態を解除することなく即ち抜け止めキャップ３を連結片１２に貼着した状態の儘カバー部材２をブラケット本体１から取り外すことができるものである。
【００２２】
【発明の効果】
以上述べた如く、本発明に係る手摺用ブラケットによれば、壁面に取り付けるための取付片、同取付片に一体の連結片を介して上方に延びる笠木支持片とから成るブラケット本体及び前記取付片に被せられる上方及び背面が開放するカバー部材とから構成される手摺用ブラケットにおいて、前記カバー部材の両側板の上端に凹部を形成し、この凹部に嵌合する突起を下面の左右に形成し、且つ、同下面には前記ブラケット本体の連結片上面に貼着できるように両面テープの片面を貼着した板状の抜け止めキャップを設けると共に、前記ブラケット本体の取付片の正面にはカバー部材の内部に形成された嵌合片を嵌合するための横溝を形成したものであるから、何等の係止手段を採用することなくカバー部材をブラケット本体に強固に装着できるようになったもので、従来公知のフック部による弾発係止手段と異なり、抜け止めキャップを外すだけでカバー部材をブラケット本体から取り外すことができ、また、抜け止めキャップが連結片の上面を覆って連結片の地肌を見せることがないので、従来公知の手摺用ブラケットよりも意匠的にも優れるものであって、実用的価値は高いものである。
【図面の簡単な説明】
【図１】本発明を構成するブラケット本体の斜視図である。
【図２】本発明を構成するカバー部材と抜け止めキャップの斜視図である。
【図３】カバー部材の平面図である。
【図４】カバー部材及び抜け止めキャップのブラケット本体への装着状態を表わす斜視図である。
【図５】カバー部材及び抜け止めキャップをブラケット本体へ装着した状態の縦断側面図である。
【符号の説明】
１          ブラケット本体
１１        取付片
１２        連結片
１３        笠木支持片
２          カバー部材
３          抜け止めキャップ
３１        突起
３２        両面テープ
【図１】
2004169531.tif 000003
【図２】
2004169531.tif 000004
【図３】
2004169531.tif 000005
【図４】
2004169531.tif 000006
【図５】
2004169531.tif 000007